(57)【要約】【課題】  本発明は、遊技機のスタートレバー等のレバーにレバーカバーを取り付けることにより前記レバーを叩くように押しても手が受ける衝撃を緩和でき、また、レバーカバーを容易に取り付けることができる遊技機のレバーカバー及び遊技機のレバーカバー取付装置を提供する。【解決手段】  レバーカバー１０は弾性体で一体形成されている。レバーカバー１０の基端面１２Ａにはスタートレバー１のロッド２が挿入されるロッド収容部１６が穿設されている。レバーカバー１０の内部でロッド収容部１６の先端にはスタートレバー１のノブ３が収容される球状のノブ収容部１８が連続形成されている。このノブ収容部１８の内周面１８Ａの全面には調節緩衝用突起２０が突設されている。また、レバーカバー１０の先端部１４には前記ノブ収容部１８に向ってガイドテープ挿通孔２２が貫通形成されている。【選択図】  図１
2006102081.tif 000002
【特許請求の範囲】
【請求項１】
遊技機のレバーに被せられた状態で取り付けられる弾性体で形成されたレバーカバーであって、このレバーカバーの内部に形成されると共に前記レバーのロッドの先端に設けられたノブが収容されるノブ収容部と、このノブ収容部の内周面に複数突設されると共にノブ収容部に収容された前記ノブの外周面に当接する調節緩衝用突起と、前記レバーカバーの先端部から前記ノブ収容部に向って貫通形成されたガイドテープ挿通孔と、を有してなることを特徴とする遊技機のレバーカバー。
【請求項２】
遊技機のレバーに被せられた状態で取り付けられる弾性体で形成されたレバーカバーであって、このレバーカバーの基端部から先端部に向って穿設されると共に前記レバーのロッドが挿入状態で収容されるロッド収容部と、このロッド収容部の先端に連続形成されると共に前記レバーのロッドの先端に設けられたノブが収容されるノブ収容部と、このノブ収容部の内周面に複数突設されると共にノブ収容部に収容された前記ノブの外周面に当接する調節緩衝用突起と、前記レバーカバーの先端部から前記ノブ収容部に向って貫通形成されたガイドテープ挿通孔と、を有してなることを特徴とする遊技機のレバーカバー。
【請求項３】
遊技機のレバーに被せられた状態で取り付けられる弾性体で形成されたレバーカバーを前記レバーに取り付けるレバーカバー取付装置であって、このレバーカバー取付装置を構成すると共に前記レバーカバーが挿入するレバーカバー挿入体と、このレバーカバー挿入体の基端部に設けられて前記レバーカバーが挿通するガイドテープ折返リングと、このガイドテープ折返リングに間隔を設けて巻装された複数の筒状クッションと、前記レバーカバー挿入体と一緒に前記レバーカバー取付装置を構成すると共に薄い素材で帯状に形成されて折曲げられた状態で前記レバーカバーに挿通可能なガイドテープと、前記レバーカバー挿入体とガイドテープと一緒に前記レバーカバー取付装置を構成すると共に前記レバーカバーに挿通された前記ガイドテープの折曲部に配設されて前記レバーカバーの先端部を押圧する押圧板と、を有してなることを特徴とする遊技機のレバーカバー取付装置。
【発明の詳細な説明】
【技術分野】
【０００１】
本発明は、スロットマシン等の遊技機に突設されるスタートレバー等のレバーに被せて取り付けられる遊技機のレバーカバーと、このレバーカバーを前記レバーに取り付ける遊技機のレバーカバー取付装置に関する。
【背景技術】
【０００２】
多くのパチンコ店等においてはコイン等を投入することによりゲームを楽しむことができるスロットマシン（パチスロ）が設置されている。
このスロットマシンは台の正面中央部に３個の表示窓が横に並んで設けられ、台の内部には前記表示窓にそれぞれ対応して絵柄や数字が描かれた環状のテープが設けられている。このテープはリールによって緊張状態に設けられ、リールを高速回転することによりテープも高速回転するようになっている。
また、前記スロットマシンの台にはスタートレバーが突設され、スタートレバーのロッドの先端に固定されたプラスチック製で球状のノブを押すことにより前記リールが高速回転してテープが高速回転するようになっている。
そして、前記台にリール毎に設けられたストップボタンを押すことによって、各々のリール及びテープを停止させて前記表示窓に表示されている入賞ライン上で停止しているテープの絵柄や図柄の組合せによって入賞を判定するようになっている。
従って、前記スロットマシンで行うゲームは短時間で１ゲームが終了してしまうので、何ゲームもゲームを続けて行う遊技者は頻繁に前記スタートレバーのノブを押す必要があるため、前記スタートレバーのノブを持って押すとゆうよりも叩くようにして押してゲームを行っている。
この結果、遊技者はプラスチック製のノブを何回も連続して叩くため手が痛くなってしまうという不具合がある。
また、前記スタートレバーのノブは不特定多数の遊技者の手が触れるため遊技者によってはノブを叩くのに不快感を覚えるが、前記ノブはロッドの先端に固定されているため容易に交換することはできない。
【特許文献１】特公平７−１０８３２５号
【発明の開示】
【発明が解決しようとする課題】
【０００３】
本発明は、上記事実に鑑みなされたものであり遊技機のスタートレバー等のレバーにレバーカバーを被せるように取り付けることによりスタートレバー等のレバーを叩くように押しても手に伝わる衝撃を緩和でき、また、レバーカバーを容易に取り付けることができる遊技機のレバーカバー及び遊技機のレバーカバー取付装置を提供するものである。
【課題を解決するための手段】
【０００４】
請求項１の発明は、遊技機のレバーに被せられた状態で取り付けられる弾性体で形成されたレバーカバーであって、このレバーカバーの内部に形成されると共に前記レバーのロッドの先端に設けられたノブが収容されるノブ収容部と、このノブ収容部の内周面に複数突設されると共にノブ収容部に収容された前記ノブの外周面に当接する調節緩衝用突起と、前記レバーカバーの先端部から前記ノブ収容部に向って貫通形成されたガイドテープ挿通孔と、を有してなることを特徴としている。
請求項２の発明は、遊技機のレバーに被せられた状態で取り付けられる弾性体で形成されたレバーカバーであって、このレバーカバーの基端部から先端部に向って穿設されると共に前記レバーのロッドが挿入状態で収容されるロッド収容部と、このロッド収容部の先端に連続形成されると共に前記レバーのロッドの先端に設けられたノブが収容されるノブ収容部と、このノブ収容部の内周面に複数突設されると共にノブ収容部に収容された前記ノブの外周面に当接する調節緩衝用突起と、前記レバーカバーの先端部から前記ノブ収容部に向って貫通形成されたガイドテープ挿通孔と、を有してなることを特徴としている。
請求項３の発明は、遊技機のレバーに被せられた状態で取り付けられる弾性体で形成されたレバーカバーを前記レバーに取り付けるレバーカバー取付装置であって、このレバーカバー取付装置を構成すると共に前記レバーカバーが挿入するレバーカバー挿入体と、このレバーカバー挿入体の基端部に設けられて前記レバーカバーが挿通するガイドテープ折返リングと、このガイドテープ折返リングに間隔を設けて巻装された複数の筒状クッションと、前記レバーカバー挿入体と一緒に前記レバーカバー取付装置を構成すると共に薄い素材で帯状に形成されて折曲げられた状態で前記レバーカバーに挿通可能なガイドテープと、前記レバーカバー挿入体とガイドテープと一緒に前記レバーカバー取付装置を構成すると共に前記レバーカバーに挿通された前記ガイドテープの折曲部に配設されて前記レバーカバーの先端部を押圧する押圧板と、を有してなることを特徴としている。
【発明の効果】
【０００５】
請求項１、請求項２のレバーカバーは弾性体で形成され、レバーに被せられるように取り付けられると共にレバーのノブはノブ収容部の内周面に突設された調節緩衝用突起と当接するのでレバーを叩いても手に伝わる衝撃を著しく緩和できるという優れた効果を有する。
請求項１、請求項２のレバーカバーは、ノブ収容部に収容されたレバーのノブの外周面にはノブ収容部の内周面に突設された調節緩衝用突起が当接するので、前記ノブの外径寸法がノブ収容部の内径寸法より小さくても調節緩衝用突起がノブの外周面に当接することによりフイットした状態でレバーカバーを取り付けることができるという優れた効果を有する。
請求項１、請求項２のレバーカバーは、容易に交換できるためレバーカバーを一定期間毎に新しいレバーカバーに交換することにより衛生的で気持ちよく遊技機でゲームを楽しむことができるという優れた効果を有する。
請求項３の遊技機のレバーカバー取付装置は、レバーカバーをレバーに容易に取り付けることができるという優れた効果を有する。
【発明を実施するための最良の形態】
【０００６】
発明を実施するために最良の形態の例として以下のような実施例を示す。
【実施例１】
【０００７】
図１〜図７には本発明に係わる遊技機のレバーカバー及び遊技機のレバーカバー取付装置の一実施例が示されている。なお、この実施例では遊技機としてはパチンコ店等に設置されるスロットマシン（パチスロ）を例にし、レバーとしては前記スロットマシンに突設されたスタートレバーを例にして説明する。
図１に示されるように、スロットマシンの台Ｄに突設されたスタートレーバー１はロッド２と、ロッド２の先端部に設けられた球状のノブ３を備えている。このスタートレバー１を覆ってスタートレバー１に取り付けられるレバーカバー１０は弾性体としての軟質の塩化ビニル樹脂で外観形状が砲弾状に一体形成されている。
図２に示されるように、このレバーカバー１０の基端部１２に形成された平面状の基端面１２Ａの中央部にはレバーカバー１０の先端部１４に向って前記スタートレバー１のロッド２が挿入される円筒状のロッド収容部１６が穿設されている。
前記レバーカバー１０の内部でロッド収容部１６の先端には前記スタートレバー１のノブ３が収容される球状のノブ収容部１８が連続形成されている。このノブ収容部１８の内径寸法は前記スタートレバー１のノブ３の外径寸法よりも少し大きめに設定され、前記ノブ３の外径寸法が想定寸法よりも多少大きくても収容できるようになっている。また、前記ノブ収容部１８の内周面１８Ａの全面には半球状の調節緩衝用突起２０が一体的に突設されている。
前記レバーカバー１０の先端部１４には前記ノブ収容部１８に向ってガイドテープ挿通孔２２が貫通形成されている。。
従って、図３に示されるように前記スロットマシンのスタートレバー１を前記レバーカバー１０に挿入すると前記スタートレバー１のロッド２はロッド収容部１６に挿入され、スタートレバー１のノブ３はノブ収容部１８に収容される。また、ノブ収容部１８に収容されたノブ３の外周面３Ａには前記調節緩衝用突起２０が当接するので、スタートレバー１のノブ３の外径寸法がノブ収容部１８の内径寸法より小さくても調節緩衝用突起２０がノブ３の外周面３Ａに当接することによりフイットした状態でレバーカバー１０を取り付けることができる。
従って、前記レバーカバー１０を取り付けたスロットマシンでゲームを開始する場合、遊技者は弾性体としての軟質の塩化ビニル樹脂で形成されたレバーカバー１０が被されたスタートレバー１のノブ３を叩くことになるので、プラスチックで形成されたノブ３を直接叩く場合と違い手に伝わる衝撃が著しく緩和される。
また、前記レバーカバー１０は突設された調節緩衝用突起２０を介して前記ノブ３に当接しているのでレバーカバー１０を叩いた場合に力は調節緩衝用突起２０を介して前記ノブ３に伝わるので調節緩衝用突起２０が緩衝する役目を果たすので手で叩いてもより痛くなくなる。
なお、前記レバーカバー１０を一定期間毎に新しいレバーカバー１０に交換することにより衛生的で不快感なくスロットマシンでゲームを楽しむことが可能となる。
【０００８】
次に、実施例のレバーカバー１０を専用のレバーカバー取付装置を使用してスロットマシンのスタートレバー１に取り付ける方法を説明する。
レバーカバー１０をスロットマシンのスタートレバー１に取り付ける場合は図４に示される専用のレバーカバー取付装置３０が使用される。このレバーカバー取付装置３０はレバーカバー挿入体３２と、強靭な合成樹脂繊維を薄い帯状に形成してなるガイドテープ３４と、このガイドテープ３４に配設される円板状の押圧板３６と、から構成されている。
前記レバーカバー挿入体３２の基端部には真円状のガイドテープ折返リング４０が配設されている。このガイドテープ折返リング４０の内径寸法は前記レバーカバー１０の外径寸法より大きく設定されレバーカバー１０がガイドテープ折返リング４０を挿通してレバーカバー挿入体３２に挿入できるようになっている。
前記ガイドテープ折返リング４０には等間隔で３本の挿入部形成シャフト４２の一端部が結合されている。また、前記ガイドテープ折返リング４０にはゴムで形成された円筒状の筒状クッション４４が間隔を設けて複数巻装されている。
前記レバーカバー挿入体３２の先端部には前記ガイドテープ折返リング４０と同心上に円柱状の押付体４６が配設されている。この押付体４６には前記挿入部形成シャフト４２の他端部が等間隔で結合されている。
前記レバーカバー専用取付具３０を使用して前記レバーカバー１０を前記スタートレバー１に取り付ける場合は、図５に示されるように前記ガイドテープ３４を中央部で折り曲げて折曲部３４Ａを設けると共に折曲部３４Ａを設けたことにより生じた第１テープ片３４Ｂと第２テープ片３４Ｃを対向させる。そして、前記レバーカバー１０の基端部１２側から折曲部３４Ａを先頭にしてレバーカバー１０のロッド収容部１６、ノブ収容部１８、ガイドテープ挿通孔２２にガイドテープ３４を挿通させて折曲部３４Ａをレバーカバー１０の先端部１４の外側に出す。
次に、図６に示されるように、前記折曲部３４Ａの内側に前記押圧板３６を配設して押圧板３６を前記レバーカバー１０の先端部１４に当接させる。また、レバーカバー１０の基端部１２に形成されたロッド収容部１６をスタートレバー１のノブ３に対応させて当接させる。
そして、図７に示されるように、この状態のレバーカバー１０に前記レバーカバー挿入体３２を被せるようにしてガイドテープ折返リング４０をスロットマシンの台Ｄに押し付ける。この場合、前記台Ｄにはガイドテープ折返リング４０に巻装された筒状クッション４４が台Ｄに当接してガイドテープ折返リング４０自体は台Ｄに直接当接しないので、レバーカバー挿入体３２を台Ｄに強く押し付けても台Ｄに傷が付いたりすることを確実に防止できる。
また、前記台Ｄとガイドテープ折返リング４０との間には筒状クッション４４の肉厚分の隙間Ｓが生じるので、ガイドテープ３４の第１テープ片３４Ｂと第２テープ片３４Ｃを前記隙間Ｓに通して当してガイドテープ折返リング４０を介して手前方向に折り返す。そして、前記押付体４６を台Ｄ方向に押すと共に第１テープ片３４Ｂと第２テープ片３４Ｃを手で持って同時に強く手前側に引っ張ると、レバーカバー１０のロッド収容部１６は前記ガイドテープ３４の第１テープ片３４Ｂと第２テープ片３４Ｃによって拡開されると共にレバーカバー１０の先端部１４は押圧板３６によって台Ｄ方向に押圧される。
この結果、スタートレバー１のノブ３は前記ガイドテープ３４の第１テープ片３４Ｂと第２テープ片３４Ｃによって拡開されたロッド収容部１６を通過してノブ収容部１８に収容されると共にスタートレバー１のロッド２はロッド収容部１６に収容される。
最後に、押圧板３６を取り外してガイドテープ３４の折曲部３４Ａ付近を鋏等でカットしてガイドテープ３４の第１テープ片３４Ｂと第２テープ片３４Ｃをそれぞれ引っ張ってレバーカバー１０からガイドテープ３４の第１テープ片３４Ｂと第２テープ片３４Ｃを引き抜けばレバーカバー１０がスタートレバー１に取り付けられた状態になる（図３参照）。
従って、専用の前記レバーカバー取付装置３０を使用することにより簡単に前記レバーカバー１０をスタートレバー１に取り付けることができる。
なお、前記スタートレバー１に取り付けた前記レバーカバー１０を取り外す場合はカッター等でレバーカバー１０をカットすることにより容易にレバーカバー１０をスタートレバー１から取り外すことができる。
従って、上述したように、前記レバーカバー１０は簡単に交換することができるため、レバーカバー１０を一定期間毎に新しいレバーカバー１０に交換することにより衛生的で不快感なくスロットマシンでゲームを楽しむことが可能となる。
【０００９】
なお、実施例ではレバーカバー１０の外観形状を砲弾状にしたが、レバーカバー１０の形状は砲弾状に限定されないことは勿論である。
また、実施例ではレバーカバー１０を弾性体としての軟質の塩化ビニル樹脂で形成した例を示したが弾性体は塩化ビニル樹脂に限定されるものでなく、エスタロン等の他の弾性体で形成してもよいことは勿論である。
なお、実施例ではノブ収容部１８の内周面１８Ａに設けた調節緩衝用突起２０は半球状としたが、調節緩衝用突起２０の形状はこれに限定されるものではなく例えばこのノブ収容部１８の内周面１８Ａにリング状の溝を間隔を置いて刻設することにより調節緩衝用突起２０としてもよいことは勿論である。
また、図４にレバーカバー取付装置３０を構成するレバーカバー挿入体３２とガイドテープ３４と押圧板３６を斜視図で図示したが、レバーカバー取付装置３０を構成するレバーカバー挿入体３２とガイドテープ３４と押圧板３６の形状は図４に示す形状に限定されるものでないことは勿論である。
なお、実施例では遊技機としてスロットマシンを例にして説明したが、遊技機であればスロットマシンに限定されないことは勿論である。
また、実施例ではレバーとしてスロットマシンのスタートレバー１を例にして説明したが、遊技機に備えられて頻繁に押されたり叩かれたりするレバーであればスタートレバーに限定されるものでないことは勿論である。
【図面の簡単な説明】
【００１０】
【図１】実施例のレバーカバーをスロットマシンのスタートレバーに取り付けた状態の斜視図である。
【図２】実施例のレバーカバーの横断面図である。
【図３】実施例のレバーカバーをスタートレバーに取り付け状態のレバーカバーの横断面図である。
【図４】実施例のレバーカバー取付装置の全体斜視図である。
【図５】実施例のレバーカバーをスタートレバーに取り付ける場合を示す説明横断面図である。
【図６】実施例のレバーカバーをスタートレバーに取り付ける場合を示す説明横断面図である。
【図７】実施例のレバーカバーをスタートレバーに取り付ける場合を示す説明横断面図である。
【符号の説明】
【００１１】
１０    レバーカバー
１２    基端部
１４    先端部
１６    ロッド収容部
１８    ノブ収容部
２０    調節緩衝用突起
２２    ガイドテープ挿通孔
３０    レバーカバー取付装置
３２    レバーカバー挿入体
３４    ガイドテープ
３６    押圧板
４０    ガイドテープ折返リング
４４    筒状クッション
【図１】
2006102081.tif 000003
【図２】
2006102081.tif 000004
【図３】
2006102081.tif 000005
【図４】
2006102081.tif 000006
【図５】
2006102081.tif 000007
【図６】
2006102081.tif 000008
【図７】
2006102081.tif 000009